(57)【要約】  中心周波数間隔が異なる周波数グリッドが混在するＷＤＭ信号のチャンネル毎の光パワーを検出するために、信号検出装置は、複数の光送信器がそれぞれ送信する光信号の中心周波数及び中心周波数の間隔を示す中心周波数間隔を含むデータと、光信号が波長多重されたＷＤＭ信号のパワーを所定のサンプリング間隔で配置されたサンプリングポイントの周波数において測定したパワー測定値と、サンプリング間隔と、サンプリングポイントの周波数と、を取得し、中心周波数間隔及びサンプリング間隔に基づいてパワー測定値から選択値を選択し、選択値と所定の閾値との比較結果を出力する比較部と、比較結果が、選択値が閾値未満であることを示す場合には信号断アラームを発出するアラーム生成部と、を備える。
2016047089.tif 000002
【特許請求の範囲】
【請求項１】
複数の光送信器がそれぞれ送信する光信号の中心周波数及び前記中心周波数の間隔を示す中心周波数間隔を含むデータと、前記光信号が波長多重されたＷＤＭ（Wavelength Division Multiplexing）信号のパワーを所定のサンプリング間隔で配置されたサンプリングポイントの周波数において測定したパワー測定値と、前記サンプリング間隔と、前記サンプリングポイントの周波数と、を取得し、前記中心周波数間隔及び前記サンプリング間隔に基づいて前記パワー測定値から選択値を選択し、前記選択値と所定の閾値との比較結果を出力する比較手段と、
前記比較結果が、前記選択値が前記閾値未満であることを示す場合には信号断アラームを発出するアラーム生成手段と、
を備える信号検出装置。
【請求項２】
前記比較手段は、前記中心周波数間隔を前記サンプリング間隔で除した商が整数であれば前記中心周波数と一致する前記サンプリングポイントの周波数における前記パワー測定値を前記選択値とする、請求項１に記載された信号検出装置。
【請求項３】
前記比較手段は、前記中心周波数と一致する前記サンプリングポイントの周波数における前記パワー測定値が存在しない場合には、前記中心周波数を挟んで隣接する前記サンプリングポイントの周波数における前記パワー測定値のうち大きい方の値を前記選択値とする、請求項２に記載された信号検出装置。
【請求項４】
前記比較手段は、前記中心周波数間隔を前記サンプリング間隔で除した商が整数でなく、かつ、前記中心周波数間隔を前記サンプリング間隔で除した商が所定の値以上である場合には、前記中心周波数を挟んで隣接する前記サンプリングポイントの周波数における前記パワー測定値のうち大きい方の値を前記選択値とする、請求項１乃至３のいずれかに記載された信号検出装置。
【請求項５】
前記比較手段は、前記中心周波数間隔を前記サンプリング間隔で除した商が整数でなく、かつ、前記中心周波数間隔を前記サンプリング間隔で除した商が所定の値未満である場合には、前記サンプリング間隔の再設定を促すアラームを前記アラーム生成手段に発出させる、請求項１乃至４のいずれかに記載された信号検出装置。
【請求項６】
光送信器と、
前記光送信器が送信した光を波長多重してＷＤＭ信号を出力する光波長多重手段と、
サンプリングポイントの周波数における前記ＷＤＭ信号のパワーを測定してパワー測定値を生成するＯＣＭ（Optical Channel Monitor）と、
前記パワー測定値と、サンプリング間隔と、前記サンプリングポイントの周波数と、を前記ＯＣＭから取得する請求項１乃至５のいずれかに記載された信号検出装置と、
を備えるＷＤＭ伝送装置。
【請求項７】
前記ＯＣＭは、
前記サンプリングポイントの周波数の前記ＷＤＭ信号を透過させる可変波長フィルタと、
前記可変波長フィルタから出力された光信号のパワーに対応する振幅の電気信号を出力する受光素子と、
前記サンプリングポイントの周波数、前記サンプリング間隔及び前記電気信号に基づく前記パワー測定値を記録する記録手段と、を備え、
前記比較手段は、前記記録手段から前記パワー測定値、前記サンプリング間隔及び前記サンプリングポイントの周波数を取得する、請求項６に記載されたＷＤＭ伝送装置。
【請求項８】
前記比較手段は、中心周波数及び周波数グリッドを含むデータを前記光送信器から取得する請求項６又は７に記載されたＷＤＭ伝送装置。
【請求項９】
前記光送信器を制御する監視制御手段をさらに備え、
前記信号検出装置は、前記中心周波数及び前記周波数グリッドを含むデータを前記監視制御手段から取得する請求項６又は７に記載されたＷＤＭ伝送装置。
【請求項１０】
複数の光送信器がそれぞれ送信する光信号の中心周波数及び前記中心周波数の間隔を示す中心周波数間隔を含むデータと、
前記光信号が波長多重されたＷＤＭ（Wavelength Division Multiplexing）信号のパワーを所定のサンプリング間隔で配置されたサンプリングポイントの周波数において測定したパワー測定値と、
前記サンプリング間隔と、
前記サンプリングポイントの周波数と、
を取得し、前記中心周波数間隔及び前記サンプリング間隔に基づいて前記パワー測定値から選択値を選択し、前記選択値と所定の閾値との比較結果を出力し、
前記比較結果が、前記選択値が前記閾値未満であることを示す場合には信号断アラームを発出する、信号検出方法。
【発明の詳細な説明】
【技術分野】
【０００１】
本発明は、信号検出装置及び信号検出方法に関し、特に、波長分割多重された光信号において、光信号の有無をチャンネル単位で検出するための信号検出装置及び信号検出方法に関する。
【背景技術】
【０００２】
近年、インターネットの普及により映像等の大容量コンテンツを扱うサービスが急速に拡大している。その結果、バックボーンネットワークである光通信システムにおいても、大容量化が進んでいる。このような大容量通信システムにおいては、有限な光スペクトル領域をより効率的に活用することが重要である。【０００３】
光通信システムで用いられる波長分割多重（Wavelength Division Multiplexing、WDM）技術では、一般に、一定の中心周波数間隔で、チャンネル毎に１個のキャリア（搬送波）が配置される。このようなチャンネルの配置は、周波数グリッドとして規定される。以下では、チャンネルの中心周波数間隔が例えば５０ＧＨｚである周波数グリッドを「５０ＧＨｚグリッド」と記載する。また、ＷＤＭ信号を構成するチャンネルに関して、「チャンネルの中心周波数」及び「チャンネルの中心周波数間隔」を、以降では特に断らない限り、それぞれ単に「中心周波数」及び「中心周波数間隔」と記載する。【０００４】
一方、伝送システムの大容量化のために、伝送速度あるいは変調方式に合わせて最適な中心周波数間隔を持つ周波数グリッドに変更し、ＷＤＭ信号の収容効率を向上させることが望まれている。例えば、５０ＧＨｚグリッド、３７．５ＧＨｚグリッド、２５ＧＨｚグリッドなどの、中心周波数間隔が異なる周波数グリッドが混在したＷＤＭ信号の伝送が望まれる。【０００５】
このような状況を踏まえて、周波数グリッドを規定するＩＴＵ−Ｔ勧告Ｇ．６９４．１では、フィクストグリッド（Fixed grid）に加えてフレキシブルグリッド（Flexible grid）が２０１２年に標準化された。ＩＴＵ−Ｔは、The International Telecommunication Union Telecommunication Standardization Sectorの略である。フレキシブルグリッドでは、１９３．１＋ｎ×０．００６２５［ＴＨｚ］（ｎは整数）の中心波長と、１２．５×ｍ［ＧＨｚ］（ｍは正の整数）のスロット幅が規定される。【０００６】
本発明に関連して、特許文献１は、運用チャンネルに関する情報を出力するチャンネルモニタが備えられた光伝送装置を記載する。特許文献２は、分岐されたモニタ光を受信し、測定対象の各チャンネルについて信号光の有無を判定する信号光モニタリング装置を記載する。
【先行技術文献】
【特許文献】
【０００７】
【特許文献１】特開２０１０−１３０５８７号公報（［０１２６］段落、図３０）
【特許文献２】特開２０１２−０６０３０８号公報（［００１０］段落、図１）
【発明の概要】
【発明が解決しようとする課題】
【０００８】
ＷＤＭ信号に含まれる光信号をチャンネル単位で検出する一般的な方法及びその課題について説明する。【０００９】
（１）Ｔａｐ−ＰＤを用いた信号検出方法
図５は、Ｔａｐ−ＰＤ（Tap-Photo Diode）を用いた信号検出方法を説明する図である。トランスミッターＮ１〜ＮＮは、互いに異なる周波数の光信号を送信する光送信器である。トランスミッターＮ１〜ＮＮと光波長多重部１１との間にＴａｐ−ＰＤアレイ１０が配置される。Ｔａｐ−ＰＤは、伝送路を伝搬する光信号の一部を分岐して、伝搬する光信号のパワーを監視するために用いられる光デバイスである。Ｔａｐ−ＰＤアレイ１０は、複数のＴａｐ−ＰＤが並列化された光デバイスである。Ｔａｐ−ＰＤアレイ１０は、トランスミッターＮ１〜ＮＮのそれぞれに対応するＰＤ（Photo Diode）を備え、トランスミッターＮ１〜ＮＮから送信されるそれぞれの光信号のパワーを監視する。光波長多重部１１は、トランスミッターＮ１〜ＮＮから送信された光信号を波長多重してＷＤＭ信号として出力する。【００１０】
しかしながら、近年の光通信システムの大容量化に伴い、バックボーン伝送路では波長多重数が１００波を超えることが一般的である。このような通信システムでは、光信号の入出力及び電気信号のモニタ出力のいずれをも１００個以上持つＴａｐ−ＰＤが必要となる。そのため、図５の検出方法には、大容量システムではＴａｐ−ＰＤアレイ１０の入出力の結線が複雑になり回路規模が大きくなるという課題がある。【００１１】
（２）分光器方式ＯＣＭを用いた信号検出方法
図６は、分光器方式ＯＣＭ（Optical Channel Monitor、光チャンネルモニタ）を用いた信号検出方法を説明する図である。以降の図面においては、既出の構成要素には同一の参照符号を付して、必要のない限り重複する説明は省略する。光波長多重部１１は、トランスミッターＮ１〜ＮＮから送信された光信号を波長多重して光スプリッタ２１に出力する。光スプリッタ２１は、入力された光の一部を分岐してＯＣＭ２２へ出力する。【００１２】
ＯＣＭ２２は分光器が用いられたＯＣＭであり、光スプリッタ２１で分岐された光信号のパワーを、チャンネル毎（すなわち、キャリア毎）に監視する。光スプリッタ２１で分岐された光信号には、トランスミッターＮ１〜ＮＮから送信されるチャンネルの周波数が全て含まれる。ＯＣＭ２２は、分光器２３を用いて、入力された光信号の周波数のスペクトル分布をＰＤアレイ２４で測定する。【００１３】
分光器２３は複数の周波数における光信号のパワーを検出できるが、パワーを測定できる周波数は固定されている。このため、ＯＣＭ２２では、検出される周波数が特定のフィクストグリッドに対応する分光器２３を用いる必要がある。なぜならば、５０ＧＨｚグリッドに対応するＯＣＭは、３７．５ＧＨｚグリッドと２５ＧＨｚグリッドの光信号のうち、５０ＧＨｚグリッドと同一周波数の光信号を検出できるが、５０ＧＨｚグリッドとは異なる周波数の光信号を検出できないからである。従って、中心周波数間隔の異なる周波数グリッドが混在する場合は、周波数グリッド毎に専用のＯＣＭ２２が必要になる。【００１４】
（３）可変波長フィルタ方式ＯＣＭを用いた信号検出方法
図７は、可変波長フィルタ方式ＯＣＭを用いた信号検出方法を説明する図である。光波長多重部１１から出力されるＷＤＭ信号は、光スプリッタ２１で分岐される。可変波長フィルタ方式のＯＣＭ３２は、光スプリッタ２１で分岐された光信号のパワーをチャンネル毎に監視する。可変波長フィルタ方式ＯＣＭ３２は、可変波長フィルタ３３の透過周波数を変化させて、一定の周波数間隔で、透過した光信号のパワーを１個のＰＤ３４で測定する。【００１５】
各チャンネルの光信号のスペクトルは高速信号になるほど広がるため、高速信号では、スロット幅が広くなる。スロット幅は、１個のチャンネルの光信号の伝送に必要な周波数幅（波長幅）である。一般的に、スロット幅は中心周波数間隔とほぼ等しく、光信号のスペクトルは中心周波数の前後にスロット幅の半分ずつの広がりを持つ。そして、スロット幅と比較して可変波長フィルタ３３のパワーを測定するための波長の測定分解能が高い（すなわち、測定間隔が狭い）と、１スロット幅内の複数の周波数において光信号のパワーがＰＤ３４によって測定される恐れがある。このような場合にはスロット幅内で複数の光信号が検出されるため、１チャンネルの光信号が複数チャンネルの光信号と誤認識される恐れがある。逆に、スロット幅と比較して測定分解能が低いと、全てのチャンネルの光信号の検出ができない恐れがある。【００１６】
例えば、５０ＧＨｚグリッドにおいて、可変波長フィルタ３３の測定分解能が６．２５ＧＨｚであり、スロット幅が中心周波数間隔と等しい５０ＧＨｚである場合、ＯＣＭ３２は、６．２５ＧＨｚ間隔で光信号のパワーを測定する。例えば、ＯＣＭ３２は、ある周波数を基準として［＋２５ＧＨｚ、＋１８．７５ＧＨｚ、＋１２．５ＧＨｚ、＋６．２５ＧＨｚ、０ＧＨｚ、−６．２５ＧＨｚ、−１２．５ＧＨｚ、−１８．７５ＧＨｚ、−２５ＧＨｚ］で信号を検出する。このため、ＯＣＭ３２は、１チャンネルの信号を９チャンネルと認識する恐れがある。一方、チャンネルの誤検出を防ぐためにＯＣＭの測定分解能を例えば５０ＧＨｚ以上に広げると、３７．５ＧＨｚグリッドの信号チャンネルが波長多重された光信号を正しく検出できない。【００１７】
また、特許文献１及び特許文献２はいずれも光信号のモニタ技術を記載しているが、これらの技術は中心周波数間隔が異なる周波数グリッドが混在するＷＤＭ信号のチャンネル毎の光パワーを検出することはできない。【００１８】
（発明の目的）
本発明は、中心周波数間隔が異なる周波数グリッドが混在するＷＤＭ信号のチャンネル毎の光パワーを検出するための技術を提供することを目的とする。
【課題を解決するための手段】
【００１９】
本発明の信号検出装置は、複数の光送信器がそれぞれ送信する光信号の中心周波数及び前記中心周波数の間隔を示す中心周波数間隔を含むデータと、前記光信号が波長多重されたＷＤＭ（Wavelength Division Multiplexing）信号のパワーを所定のサンプリング間隔で配置されたサンプリングポイントの周波数において測定したパワー測定値と、前記サンプリング間隔と、前記サンプリングポイントの周波数と、を取得し、前記中心周波数間隔及び前記サンプリング間隔に基づいて前記パワー測定値から選択値を選択し、前記選択値と所定の閾値との比較結果を出力する比較手段と、前記比較結果が、前記選択値が前記閾値未満であることを示す場合には信号断アラームを発出するアラーム生成手段と、を備える。【００２０】
本発明の信号検出方法は、複数の光送信器がそれぞれ送信する光信号の中心周波数及び前記中心周波数の間隔を示す中心周波数間隔を含むデータと、前記光信号が波長多重されたＷＤＭ（Wavelength Division Multiplexing）信号のパワーを所定のサンプリング間隔で配置されたサンプリングポイントの周波数において測定したパワー測定値と、前記サンプリング間隔と、前記サンプリングポイントの周波数と、を取得し、前記中心周波数間隔及び前記サンプリング間隔に基づいて前記パワー測定値から選択値を選択し、前記選択値と所定の閾値との比較結果を出力し、前記比較結果が、前記選択値が前記閾値未満であることを示す場合には信号断アラームを発出する、ことを特徴とする。
【発明の効果】
【００２１】
本発明は、中心周波数間隔が異なる周波数グリッドが混在するＷＤＭ信号のチャンネル毎の光パワーを検出できるという効果を奏する。
【図面の簡単な説明】
【００２２】
【図１】第１の実施形態のＷＤＭ伝送装置の構成を示すブロック図である。
【図２】ＯＣＭによる光パワー測定を説明するための図である。
【図３】第１の実施形態の信号検出部の処理の一例を示すフローチャートである。
【図４】第２の実施形態のＷＤＭ伝送装置の構成を示すブロック図である。
【図５】Ｔａｐ−ＰＤを用いた信号検出方法を説明する図である。
【図６】分光器方式ＯＣＭを用いた信号検出方法を説明する図である。
【図７】可変波長フィルタ方式ＯＣＭを用いた信号検出方法を説明する図である。
【発明を実施するための形態】
【００２３】
（実施形態の概要）
以下の実施形態では、各トランスミッターは、信号検出部に対して、自身が送信する光信号のチャンネルの中心周波数と周波数グリッドとに関するデータを電気信号で送信する。また、ＯＣＭ（Optical Channel Monitor、光チャンネルモニタ）は、ＯＣＭがスキャンした周波数、検出された光信号のパワー及びサンプリング間隔に関するデータを電気信号で信号検出部に送信する。信号検出部は、トランスミッター及びＯＣＭから取得したデータを比較し、トランスミッターが送信する光信号の中心周波数に対応するパワーの測定値を、ＯＣＭから取得したデータから抽出する。そして、信号検出部は、抽出されたパワーの測定値が信号断アラーム閾値未満であれば信号断アラームを出力する。
【００２４】
以下の実施形態において、信号検出部は、ＣＰＵ（Central Processing Unit、中央処理装置）及びメモリを備えてもよい。メモリは、プログラムを記録するための、一時的でない記憶媒体である。ＣＰＵは、メモリに記録されたプログラムを実行することによって、信号検出部の機能を実現してもよい。
【００２５】
（第１の実施形態）
図１は、本発明の第１の実施形態のＷＤＭ伝送装置１００の構成を示すブロック図である。ＷＤＭ伝送装置１００は、トランスミッターＡ１、Ａ２、Ｂ１、Ｂ２、Ｃ１、Ｃ２及び光波長多重部５０、光スプリッタ６０、ＯＣＭ７０、信号検出部８０を備える。なお、以降において、トランスミッターＡ１、Ａ２、Ｂ１、Ｂ２、Ｃ１、Ｃ２が送信する光信号を、それぞれ光信号Ａ１、Ａ２、Ｂ１、Ｂ２、Ｃ１、Ｃ２と記載する。また、Ａ１、Ａ２、Ｂ１、Ｂ２、Ｃ１、Ｃ２を総称する場合にはＡ１〜Ｃ２と記載する。トランスミッターＡ１〜Ｃ２は、それぞれ、単一のキャリアを含む光信号Ａ１〜Ｃ２を送信する。また、図１及び図４において実線は光信号を示し、破線は電気信号を示す。
【００２６】
トランスミッターＡ１、Ａ２は、５０ＧＨｚグリッドの光信号を生成する。すなわち、光信号Ａ１、Ａ２の中心周波数間隔は５０ＧＨｚである。トランスミッターＢ１、Ｂ２は、３７．５ＧＨｚグリッドの光信号を生成する。トランスミッターＣ１、Ｃ２は、４０ＧＨｚグリッドの光信号を生成する。これらの光信号の中心周波数は、それぞれ異なる。本実施形態では、トランスミッターＡ１、Ａ２、Ｂ１、Ｂ２、Ｃ１、Ｃ２の中心周波数は、順に１９５．３００ＴＨｚ、１９５．２５０ＴＨｚ、１９５．２００ＴＨｚ、１９５．１６２５ＴＨｚ、１９５．１４０ＴＨｚ、１９５．１００ＴＨｚである。
【００２７】
光波長多重部５０は、これらの異なる周波数グリッドが混在した光信号Ａ１〜Ｃ２を波長多重する。光波長多重部５０として、ＡＷＧ（Arrayed Waveguide Grating）モジュール、光カプラ、光インターリーバー、ＷＳＳ（Wavelength Selective Switch）、もしくは、これらを複合したデバイスが用いられてもよい。
【００２８】
光波長多重部５０で合波されてＷＤＭ信号となった光信号Ａ１〜Ｃ２は、光スプリッタ６０により２分岐される。光スプリッタ６０で２分岐されたＷＤＭ信号の一方は伝送路に出力され、他方がＯＣＭ７０へ出力される。光スプリッタ６０の伝送路側とＯＣＭ７０側との分岐比は、好ましくは９：１程度であるが、分岐比はこの値には限定されない。
【００２９】
ＯＣＭ７０は、光チャンネルモニタである。ＯＣＭ７０は、可変波長フィルタ７１、ＰＤ７４、ＲＡＭ７５、ＲＯＭ７２を備える。ＲＡＭ７５はランダムアクセスメモリ（Random Access Memory）であり、ＲＯＭ７２はリードオンリーメモリ（Read Only Memory）である。
【００３０】
ＲＯＭ７２は、可変波長フィルタ７１のサンプリング間隔及びサンプリングポイントの周波数を記憶する。周波数と波長との間の換算は容易であるので、サンプリングに関するデータは周波数及び波長のいずれで記録されてもよい。ＲＯＭ７２は通常は読み出し専用の不揮発性メモリとして用いられるが、ＯＣＭ７２の設定が変更された場合にはＲＯＭ７２の内容は書き換えられる。ＲＯＭ７２に記録されるサンプリングポイントの周波数は、可変波長フィルタ７１の制御及びＲＡＭ７５への測定データの書き込みの際に用いられる。ＲＯＭ７２及びＲＡＭ７５はいずれもデータを記録する機能を備えるデバイスであるが、ＲＯＭ７２及びＲＡＭ７５が記憶するデータ種類及びそれらの割当ては上記に限定されない。
【００３１】
可変波長フィルタ７１は、ＲＯＭ７２に記録されているサンプリングポイントの周波数の光を透過させてＰＤ７４に受光させる。ＰＤ７４はフォトダイオード（Photo Diode）であり、受光した光のパワーに比例する振幅の電気信号を出力する。
【００３２】
ＯＣＭ７０へ入力された光信号は、可変波長フィルタ７１によって、周期的にパワーをスキャンされる。スキャンは、可変波長フィルタ７１の波長可変範囲（例えば１５３０〜１５７０ｎｍ）内の、サンプリングポイントの周波数に対応する波長において行われる。サンプリングポイントの周波数は、パワーの測定ポイントの周波数であり、ＲＯＭ７２に記録される。パワーのスキャンが行われると、サンプリングポイントの周波数におけるパワーに比例する振幅の電気信号が、ＰＤ７４から出力される。
【００３３】
本実施形態では、サンプリングポイントの周波数は１９３．１＋ｎ×サンプリング間隔［ＴＨｚ］（ｎは整数）である。サンプリング間隔は、可変波長フィルタ７１に設定される透過周波数の間隔であり、本実施形態ではフレキシブルグリッドで一般的に用いられる６．２５ＧＨｚを基本とする。しかし、サンプリング間隔は６．２５ＧＨｚとは異なる値に設定されてもよい。サンプリング間隔をより広くすることで、サンプリングポイントを少なくしてスキャン処理の高速化が見込める。一方、サンプリング間隔をより狭くすることで、より精密な光パワーの測定が可能となる。サンプリング間隔は、トランスミッターＡ１〜Ｃ２で用いられる周波数グリッドとの関係を考慮して決定されてもよい。
【００３４】
光信号のパワーの測定値と、測定の際の可変波長フィルタ７１の周波数（すなわちサンプリングポイントの周波数）とは、ＲＡＭ７５の特定のアドレス領域に、ＯＣＭ７０のスキャンの実行の都度、測定データとして書き込まれる。ＲＡＭ７５の特定のアドレス領域に書き込まれた測定データ及びＲＯＭ７２に記録されたサンプリング間隔は、信号検出部８０から周期的に読み出される。さらに、信号検出部８０の起動、ＯＣＭ７０の起動及びサンプリング間隔の変更のいずれかをトリガにして、信号検出部８０は、ＲＯＭ７２に記録されたサンプリング間隔を読み出してもよい。
【００３５】
さらに、信号検出部８０の起動、トランスミッターＡ１〜Ｃ２のいずれかの起動又は中心周波数の変更をトリガにして、信号検出部８０は、中心周波数と周波数グリッドのデータを、全てのトランスミッターから取得する。周波数グリッドのデータには、中心周波数間隔が含まれる。信号検出部８０は、ＯＣＭ７０及び各トランスミッターＡ１〜Ｃ２のうち、状態に変動があった部位のみからデータを読み出してもよい。
【００３６】
以上のようにして、信号検出部８０は、ＯＣＭ７０で測定されたパワー及びそれに対応するサンプリングポイントの周波数、可変波長フィルタ７１のサンプリング間隔、さらにトランスミッターＡ１〜Ｃ２の中心周波数と周波数グリッドのデータを取得する。信号検出部８０は、ＯＣＭ７０から取得したデータとトランスミッターＡ１〜Ｃ２から取得したデータとに基づいて光信号Ａ１〜Ｃ２の有無を検出し、いずれかのトランスミッターの信号断が検出された際にはアラームを外部へ出力する。
【００３７】
信号検出部８０は、比較部８１及びアラーム生成部８２を備える。比較部８１は、トランスミッターＡ１〜Ｃ２から取得したデータとＯＣＭ７０から取得したデータとを比較して、以下の手順で光信号Ａ１〜Ｃ２の有無を検出する。
【００３８】
信号検出部８０は、まず、周波数グリッドが可変波長フィルタ７１のサンプリングポイントの周波数上に配置されているかを確認する。本実施形態では、光信号Ａ１、Ａ２の周波数は５０ＧＨｚグリッドであり、光信号Ｂ１、Ｂ２の周波数は３７．５ＧＨｚグリッドである。これらの周波数はサンプリング間隔６．２５ＧＨｚの周波数上に全て配置される。トランスミッターＡ１、Ａ２、Ｂ１、Ｂ２に設定された周波数グリッドは、５０ＧＨｚグリッド又は３７．５ＧＨｚグリッドである。従って、信号検出部８０は、光信号Ａ１、Ａ２、Ｂ１、Ｂ２の中心周波数と一致するサンプリングポイントの周波数を、ＲＡＭ７５から取得した測定データから検索して選択する。そして、信号検出部８０は、選択された周波数及びそれに対応する光パワーを関連付けて信号検出部８０内に記録する。
【００３９】
アラーム生成部８２は、選択されたサンプリングポイントの周波数に対応する光パワーがいずれも所定のアラーム閾値以上である場合には、トランスミッターＡ１、Ａ２、Ｂ１、Ｂ２から光信号Ａ１、Ａ２、Ｂ１、Ｂ２が正常に送信されていると判定する。この場合、アラーム生成部８２は、アラームを発出しない。しかし、いずれかのサンプリングポイントの周波数における光パワーがアラーム閾値未満である場合には、アラーム生成部８２は信号断アラームを発出する。信号断アラームは、アラームの原因となったトランスミッター、周波数グリッド、中心周波数の情報とともに出力されてもよい。
【００４０】
一方、光信号Ｃ１、Ｃ２の周波数は４０ＧＨｚグリッドであるため、光信号Ｃ１、Ｃ２の中心周波数がサンプリング間隔６．２５ＧＨｚのグリッド上には配置されない場合がある。このため、光信号Ｃ１、Ｃ２の周波数と一致するサンプリングポイントの周波数が存在しない場合がある。
【００４１】
ここで、中心周波数間隔がサンプリング間隔と比較してある程度大きければ、中心周波数の近傍にサンプリングポイントの周波数が存在することが期待できる。中心周波数の近傍とは、例えば、中心周波数における光信号Ｃ１、Ｃ２のパワーの半値全幅となる周波数範囲である。そして、サンプリング間隔が比較的狭い場合には、中心周波数がサンプリングポイントの周波数と一致しない場合でも、中心周波数の近傍で測定された光信号Ｃ１、Ｃ２のパワーを光信号Ｃ１、Ｃ２の中心周波数におけるパワーとみなすことができる。本実施形態では、中心周波数間隔がサンプリング間隔の４倍以上であれば、中心周波数の近傍にサンプリングポイントの周波数が存在すると判断される。
【００４２】
具体的には、比較部８１は、可変波長フィルタ７１によるパワーの測定データからトランスミッターＣ１、Ｃ２の中心周波数を挟んで隣接する２個所のサンプリングポイントの周波数を検索する。そして、比較部８１は、検索された周波数及びその周波数に対応したパワーの測定値を関連付けて記録する。信号検出部８０は、パワーの測定値を記録するためのメモリを内部に備えていてもよい。
【００４３】
中心周波数を挟んだ、２つのサンプリングポイントの周波数に対応するそれぞれのパワーの測定値のうち、より大きい値が信号検出部８０に記録される。記録されたパワーが、あらかじめ決められている信号断アラーム閾値よりも大きいとき、トランスミッターからの光信号は正常に送信されていると判定される。この場合、信号断アラームは発出されない。記録された光パワーがアラーム閾値よりも小さいときは、信号断アラームが出力される。
【００４４】
（第１の実施形態の動作の説明）
図２は、ＯＣＭ７０による光パワー測定を説明するための図である。図２の縦軸は光信号Ａ１〜Ｃ２のパワーを示す。図２の横軸は光信号Ａ１〜Ｃ２の周波数であり、右側ほど周波数が低い（すなわち、波長が長い）。図２のＡ１〜Ｃ２は、それぞれ図１に記載された、トランスミッターＡ１〜Ｃ２が送信する光信号Ａ１〜Ｃ２のスペクトルの例を模式的に示す。図２において、光信号Ａ１及びＡ２の中心周波数間隔は５０ＧＨｚである。光信号Ｂ１及びＢ２の中心周波数間隔は３７．５ＧＨｚである。光信号Ｃ１及びＣ２の中心周波数間隔は４０ＧＨｚである。図２に示されるように、本実施形態においては、スロット幅は光信号Ａ１〜Ｃ２のそれぞれが属する周波数グリッドの中心周波数間隔にほぼ等しい。
【００４５】
ＯＣＭ７０へ入力された光信号は、サンプリングポイントの周波数において、光パワーが測定される。サンプリングポイントの周波数は、１９３．１＋ｎ×６．２５［ＴＨｚ］（ｎは整数）である。サンプリングポイントの周波数は、図２では「ＯＣＭのサンプリングポイント」として上向きの矢印で示される。光信号Ａ１〜Ｃ２のパワーの測定の際には、可変波長フィルタ７１の透過周波数が、サンプリングポイントの周波数に設定される。ＰＤ７４は、サンプリングポイントの周波数における受信光のパワーに比例した振幅の電気信号を出力する。
【００４６】
図３は、信号検出部８０の処理の一例を示すフローチャートである。図３の説明では、トランスミッターＡ１〜Ｃ２から取得されたデータには（ＴＸ）、ＯＣＭ７０から取得されたデータには（ＯＣＭ）を付して説明する。
【００４７】
信号検出部８０は、信号検出部８０の起動、トランスミッターＡ１〜Ｃ２のいずれかの起動又は中心周波数の変更をトリガにして、トランスミッターＡ１〜Ｃ２から中心周波数（ＴＸ）及び周波数グリッド（ＴＸ）のデータを取得する（図３のステップＳ０１）。周波数グリッド（ＴＸ）のデータには、中心周波数間隔が含まれる。
【００４８】
信号検出部８０は、さらに、信号検出部８０の起動、ＯＣＭ７０の起動及びサンプリング間隔の変更のいずれかをトリガにして、ＲＯＭ７２からサンプリング間隔（ＯＣＭ）を読み出す（Ｓ０２）。本実施形態では、サンプリング間隔（ＯＣＭ）は６．２５ＧＨｚである。さらに、信号検出部８０は、周期的に、ＲＡＭ７５のサンプリングポイントの周波数（ＯＣＭ）とそれに対応した光パワー（ＯＣＭ）を読み出す（Ｓ０２）。信号検出部８０は、ステップＳ０１及びＳ０２においてトランスミッターＡ１〜Ｃ２及びＯＣＭ７０から上述のデータを取得した後、光信号Ａ１〜Ｃ２の有無を検出する。
【００４９】
周波数グリッド内の中心周波数（ＴＸ）がサンプリングポイントの周波数（ＯＣＭ）上に配置されているか否かを確認するために、信号検出部８０は、周波数グリッドのデータ（ＴＸ）に含まれる中心周波数間隔（ＴＸ）をサンプリング間隔（ＯＣＭ）で除算する（Ｓ０３）。その除算結果（商）が整数であれば（Ｓ０３：Ｙｅｓ）、信号検出部８０は、中心周波数はサンプリング間隔上に配置されていると判断する。
【００５０】
例えば、光信号Ａ１、Ａ２の中心周波数間隔（ＴＸ）５０ＧＨｚと、光信号Ｂ１、Ｂ２の中心周波数間隔（ＴＸ）３７．５ＧＨｚをサンプリング間隔（ＯＣＭ）６．２５ＧＨｚで割り算した結果はいずれも整数である。このため、ステップＳ０３は「Ｙｅｓ」へ分岐する。
【００５１】
ステップＳ０３の結果が「Ｙｅｓ」である場合、信号検出部８０は、中心周波数（ＴＸ）とサンプリングポイントの周波数（ＯＣＭ）とが一致しているデータを検索して選択する。そして、信号検出部８０は、選択されたデータを、中心周波数（ＴＸ）、中心周波数間隔（ＴＸ）及び光パワー（ＯＣＭ）で関連付けて信号検出部８０内に記録する（Ｓ０４〜Ｓ０５）。
【００５２】
信号検出部８０は、記録された光パワー（ＯＣＭ）と所定のアラーム閾値とを比較する（Ｓ０６）。記録された光パワー（ＯＣＭ）が、アラーム閾値未満である場合には（Ｓ０６：Ｙｅｓ）、信号検出部８０は信号断が発生したと判断して、信号断アラームを発出する（Ｓ０７）。信号断アラームには、周波数グリッド（ＴＸ）及び中心周波数（ＴＸ）の情報が含まれてもよい。記録された光パワー（ＯＣＭ）がアラーム閾値以上であれば、信号検出部８０は、トランスミッターから送信される光信号は正常であると判断し、信号断アラームを発出しない（Ｓ０８）。アラーム閾値は、中心周波数毎に異なる値でもよく、あるいは一定値でもよい。
【００５３】
一方、ステップＳ０３において、光信号Ｃ１、Ｃ２の中心周波数間隔（ＴＸ）４０ＧＨｚをサンプリング間隔（ＯＣＭ）６．２５ＧＨｚで除算した商は整数とはならない。この場合、ステップＳ０３は「Ｎｏ」へ分岐する。そして、中心周波数間隔がサンプリング間隔の４倍以上であるかどうかが判断される（Ｓ０９）。この例では中心周波数間隔（ＴＸ）４０ＧＨｚをサンプリング間隔（ＯＣＭ）６．２５ＧＨｚで除算した商は４以上である（Ｓ０９：Ｙｅｓ）。
【００５４】
ステップＳ０９では、サンプリング間隔（ＯＣＭ）がスロット幅（ほぼ中心周波数間隔と同一）よりも充分に狭いかどうかが判断される。すなわち、上述のように、中心周波数間隔（ＴＸ）がサンプリング間隔（ＯＣＭ）の４倍以上であれば（Ｓ０９：Ｙｅｓ）、中心周波数近傍のサンプリングポイントの周波数におけるパワーを、光信号Ｃ１、Ｃ２のパワーとみなしても大きな誤差はないと考えられる。この場合、ステップＳ１０では、中心周波数がサンプリングポイントの周波数と一致しない場合でも、中心周波数の近傍で測定された光信号Ｃ１、Ｃ２のパワーが、光信号Ｃ１、Ｃ２の中心周波数におけるパワーとみなされる。
【００５５】
本実施形態では、ステップＳ０９の結果が「Ｙｅｓ」であれば、中心周波数を挟んで隣接する周波数（ＯＣＭ）の光パワー（ＯＣＭ）の一方を、光信号Ｃ１、Ｃ２の中心周波数の光パワーとして用いる。そして、中心周波数の前後のサンプリングポイントの周波数における光パワーのうち、より大きいパワーを、当該中心周波数の光信号のパワーとする。これは、一般に、光信号のパワーのピークは中心周波数で最も高いため、測定されたパワーが高いほどピーク値に近いと考えられるためである。ステップＳ１０以降の処理はステップＳ０５と同様である。
【００５６】
ステップＳ０９において、サンプリング間隔（ＯＣＭ）が１２．５ＧＨｚである場合について説明する。光信号Ａ１、Ａ２、Ｂ１、Ｂ２の処理は以上の手順と同様である。しかし、光信号Ｃ１、Ｃ２においては中心周波数間隔（ＴＸ）をサンプリング間隔（ＯＣＭ）で割り算した結果（４０ＧＨｚ÷１２．５ＧＨｚ）が４未満となる（Ｓ０９：Ｎｏ）。すなわち、サンプリング間隔（ＯＣＭ）が１２．５ＧＨｚの場合には、サンプリング間隔は信号スペクトル幅と比較して充分に小さいと判断できない。このため、信号検出部８０はサンプリング間隔（ＯＣＭ）の再設定を促すアラームを出力する（Ｓ１１）。サンプリング間隔の再設定を促すアラームは、例えば、サンプリング間隔を中心周波数間隔の４分の１以下とする指示でもよい。
【００５７】
なお、ステップＳ０４において、何らかの理由で中心周波数とサンプリングポイントの周波数との間にずれが生じていると、中心周波数（ＴＸ）とサンプリングポイントの周波数（ＯＣＭ）とが一致しているデータが存在しない可能性がある。この場合、フローはステップＳ０４からステップＳ０９に遷移してもよい。そして、ステップＳ０９の判断結果が「Ｙｅｓ」であれば、ステップＳ１０における、中心周波数（ＴＸ）とサンプリングポイントの周波数（ＯＣＭ）とが一致しない場合と同様の処理が実行される。この処理により、中心周波数間隔をサンプリング間隔で除算した商が整数であるにもかかわらず、中心周波数とサンプリングポイントの周波数との間にずれが生じている場合でも、光信号のパワーを検出できる。
【００５８】
以上説明したように、第１の実施形態のＷＤＭ伝送装置１００では、信号検出部８０が、ＯＣＭ７０から、サンプリングポイントの周波数、光信号のパワーの測定値、サンプリング間隔のデータを取得する。さらに、信号検出部８０は、トランスミッターＡ１〜Ｃ２から周波数グリッド及び中心周波数のデータを取得する。そして、信号検出部８０は、取得したデータに基づいて、ＷＤＭ伝送装置から光信号Ａ１〜Ｃ２が送信されているか否かを検出できる。
【００５９】
また、信号検出部８０は、光信号Ａ１〜Ｃ２の中心周波数がＯＣＭ７０のサンプリング間隔上に配置されているか否かを確認することで、異なる周波数グリッドが混在して用いられる場合でも、光信号Ａ１〜Ｃ２の検出を正しく行うことができる。
【００６０】
すなわち、信号検出部８０は、中心周波数間隔をサンプリング間隔で除算し、その商が整数であれば中心周波数はサンプリング間隔の周波数上に配置されていると判断して、ＯＣＭ７０の光パワー測定値をそのまま信号断アラーム閾値と比較する。一方、商が整数ではなく、かつその値が所定の値以上である場合には、信号検出部８０は、中心周波数の前後の隣接した周波数のパワーの測定値のうち、大きい方のパワーを中心周波数における測定値とみなす。そして、信号検出部８０は、当該測定値と信号断アラーム閾値とを比較し、光信号の有無を判断する。
【００６１】
なお、信号検出部８０は、光パワー測定値の選択にあたって、サンプリング間隔が中心周波数間隔に比べて比較的大きい場合は、サンプリング間隔の再設定を促すアラームを出力することもできる。
【００６２】
さらに、各トランスミッターの中心周波数間隔を考慮してサンプリング間隔を決定することで、サンプリングポイントの数を増減し、ＯＣＭ７０及び信号検出部８０の処理速度を最適化することができる。
【００６３】
（第１の実施形態の最小構成）
図１乃至図３を参照して説明した第１の実施形態のＷＤＭ伝送装置１００が奏する効果は、以下の信号検出装置によっても得られる。信号検出装置は、図１の信号検出部８０に相当する。
【００６４】
信号検出装置は、比較部８１及びアラーム生成部８２を備える。比較部は、複数の光送信器がそれぞれ送信する光信号の「中心周波数」及び中心周波数の間隔を示す「中心周波数間隔」を含むデータを取得する。
【００６５】
比較部は、さらに、光信号が波長多重されたＷＤＭ信号のパワーを所定のサンプリング間隔で配置されたサンプリングポイントの周波数において測定した「パワー測定値」と、「サンプリング間隔」と、「サンプリングポイントの周波数」と、を取得する。そして、比較部は、中心周波数間隔及びサンプリング間隔に基づいてパワー測定値から選択値を選択し、選択値と所定の閾値との比較結果を出力する。
【００６６】
アラーム生成部８２は、比較部における比較結果が、選択値が閾値未満であることを示す場合には、信号断アラームを発出する。
【００６７】
このような構成を備える信号検出装置は、上述した信号検出部８０と同様に、サンプリングポイントの周波数、光信号のパワーの測定値、サンプリング間隔のデータを取得する。さらに、信号検出装置は、中心周波数及び中心周波数間隔のデータを取得する。そして、信号検出装置は、図３に示した手順を実行することにより、取得したデータに基づいて、ＷＤＭ伝送装置から光信号が送信されているか否かを検出できる。
【００６８】
（第２の実施形態）
図４は、本発明の第２の実施形態のＷＤＭ伝送装置２００の構成を示すブロック図である。ＷＤＭ伝送装置２００は、第１の実施形態のＷＤＭ伝送装置１００と比較して、さらに、監視制御装置９０及び外部制御端末９１を備える点で相違する。ＷＤＭ伝送装置２００では、トランスミッターＡ１〜Ｃ２の設定は、監視制御装置９０によって行われる。外部制御端末９１は、作業者が監視制御装置９０にトランスミッターＡ１〜Ｃ２の設定データを設定するための端末である。監視制御装置９０は、トランスミッターの増設や削除、あるいは設定変更に伴ってトランスミッターＡ１〜Ｃ２へ設定データを送信する際に、信号検出部８０に対して、当該設定データに含まれる中心周波数及び中心周波数間隔のデータを送信する。監視制御装置９０がトランスミッターの設定データを変更するまでは、信号検出部８０は、トランスミッターＡ１〜Ｃ２に関する以前の設定データを保持する。また、信号検出部８０は、信号検出部８０の起動時に、監視制御装置９０からトランスミッターの設定データを取得してもよい。ＷＤＭ伝送装置２００のそれ以外の構成及び動作は第１の実施形態のＷＤＭ伝送装置１００と同様である。
【００６９】
このような構成を備える第２の実施形態のＷＤＭ伝送装置２００では、信号検出部８０は、トランスミッターＡ１〜Ｃ２のデータを取得するために、トランスミッターＡ１〜Ｃ２にアクセスしてデータを読み出す必要がない。このため、信号検出部８０は、トランスミッターの設定が変更された場合でも、監視制御装置９０からデータを取得すればよく、変更されたトランスミッターとのデータパスを用意する必要がない。
【００７０】
なお、監視制御装置９０及び外部制御端末９１はＷＤＭ伝送装置２００の外部に接続された独立の装置として構成されてもよい。監視制御装置９０は、プログラムにより機能が実現されるサーバ装置でもよく、また、外部制御端末９１はサーバ装置を操作するための端末でもよい。
【００７１】
なお、本願発明の実施形態は以下の付記のようにも記載されうるが、これらには限定されない。
【００７２】
（付記１）
複数の光送信器がそれぞれ送信する光信号の中心周波数及び前記中心周波数の間隔を示す中心周波数間隔を含むデータと、前記光信号が波長多重されたＷＤＭ（Wavelength Division Multiplexing）信号のパワーを所定のサンプリング間隔で配置されたサンプリングポイントの周波数において測定したパワー測定値と、前記サンプリング間隔と、前記サンプリングポイントの周波数と、を取得し、前記中心周波数間隔及び前記サンプリング間隔に基づいて前記パワー測定値から選択値を選択し、前記選択値と所定の閾値との比較結果を出力する比較手段と、
前記比較結果が、前記選択値が前記閾値未満であることを示す場合には信号断アラームを発出するアラーム生成手段と、
を備える信号検出装置。
【００７３】
（付記２）
前記比較手段は、前記中心周波数間隔を前記サンプリング間隔で除した商が整数であれば前記中心周波数と一致する前記サンプリングポイントの周波数における前記パワー測定値を前記選択値とする、付記１に記載された信号検出装置。
【００７４】
（付記３）
前記比較手段は、前記中心周波数と一致する前記サンプリングポイントの周波数における前記パワー測定値が存在しない場合には、前記中心周波数を挟んで隣接する前記サンプリングポイントの周波数における前記パワー測定値のうち大きい方の値を前記選択値とする、付記２に記載された信号検出装置。
【００７５】
（付記４）
前記比較手段は、前記中心周波数間隔を前記サンプリング間隔で除した商が整数でなく、かつ、前記中心周波数間隔を前記サンプリング間隔で除した商が所定の値以上である場合には、前記中心周波数を挟んで隣接する前記サンプリングポイントの周波数における前記パワー測定値のうち大きい方の値を前記選択値とする、付記１乃至３のいずれかに記載された信号検出装置。
【００７６】
（付記５）
前記比較手段は、前記中心周波数間隔を前記サンプリング間隔で除した商が整数でなく、かつ、前記中心周波数間隔を前記サンプリング間隔で除した商が所定の値未満である場合には、前記サンプリング間隔の再設定を促すアラームを前記アラーム生成手段に発出させる、付記１乃至４のいずれかに記載された信号検出装置。
【００７７】
（付記６）
光送信器と、
前記光送信器が送信した光を波長多重して前記ＷＤＭ信号を出力する光波長多重部と、
前記サンプリングポイントの周波数における前記ＷＤＭ信号のパワーを測定して前記パワー測定値を生成するＯＣＭ（Optical Channel Monitor）と、
前記パワー測定値と、前記サンプリング間隔と、前記サンプリングポイントの周波数と、を前記ＯＣＭから取得する付記１乃至５のいずれかに記載された信号検出装置と、
を備えるＷＤＭ伝送装置。
【００７８】
（付記７）
前記ＯＣＭは、
前記サンプリングポイントの周波数の前記ＷＤＭ信号を透過させる前記可変波長フィルタと、
前記可変波長フィルタから出力された光信号のパワーに対応する振幅の電気信号を出力する受光素子と、
前記サンプリングポイントの周波数、前記サンプリング間隔及び前記電気信号に基づく前記パワー測定値を記録する記録手段と、を備え、
前記比較手段は、前記記録手段から前記パワー測定値、前記サンプリング間隔及び前記サンプリングポイントの周波数を取得する、付記６に記載されたＷＤＭ伝送装置。
【００７９】
（付記８）
前記比較手段は、前記中心周波数及び前記周波数グリッドを含むデータを前記光送信器から取得する付記６又は７に記載されたＷＤＭ伝送装置。
【００８０】
（付記９）
前記光送信器を制御する監視制御手段をさらに備え、
前記信号検出装置は、前記中心周波数及び前記周波数グリッドを含むデータを前記監視制御装置から取得する付記６又は７に記載されたＷＤＭ伝送装置。
【００８１】
（付記１０）
複数の光送信器がそれぞれ送信する光信号の中心周波数及び前記中心周波数の間隔を示す中心周波数間隔を含むデータと、
前記光信号が波長多重されたＷＤＭ（Wavelength Division Multiplexing）信号のパワーを所定のサンプリング間隔で配置されたサンプリングポイントの周波数において測定したパワー測定値と、
前記サンプリング間隔と、
前記サンプリングポイントの周波数と、
を取得し、前記中心周波数間隔及び前記サンプリング間隔に基づいて前記パワー測定値から選択値を選択し、前記選択値と所定の閾値との比較結果を出力し、
前記比較結果が、前記選択値が前記閾値未満であることを示す場合には信号断アラームを発出する、信号検出方法。
【００８２】
（付記１１）
信号検出装置のコンピュータに、
複数の光送信器がそれぞれ送信する光信号の中心周波数及び前記中心周波数の間隔を示す中心周波数間隔を含むデータと、前記光信号が波長多重されたＷＤＭ（Wavelength Division Multiplexing）信号のパワーを所定のサンプリング間隔で配置されたサンプリングポイントの周波数において測定したパワー測定値と、前記サンプリング間隔と、前記サンプリングポイントの周波数と、を取得する手順、
前記中心周波数間隔及び前記サンプリング間隔に基づいて前記パワー測定値から選択値を選択する手順、
前記選択値と所定の閾値との比較結果を出力する手順、
前記比較結果が、前記選択値が前記閾値未満であることを示す場合には信号断アラームを発出する手順、
を実行させるための、信号検出装置の制御プログラム。
【００８３】
以上、実施形態を参照して本願発明を説明したが、本願発明は上記の実施形態及び変形例に限定されない。本願発明の構成や詳細には、本願発明のスコープ内で当業者が理解し得る様々な変更をすることができる。例えば、各実施形態の構成は、陸上の光通信システムのみならず、光海底ケーブル通信システムにも適用できる。
【００８４】
この出願は、２０１４年９月２５日に出願された日本出願特願２０１４−１９５３１３を基礎とする優先権を主張し、その開示の全てをここに取り込む。
【符号の説明】
【００８５】
１００、２００    ＷＤＭ伝送装置
１０    Ｔａｐ−ＰＤアレイ
１１、５０    光波長多重部
２１、６０    光スプリッタ
２２、３２、７０    ＯＣＭ
２３    分光器
２４    ＰＤアレイ
３３、７１    可変波長フィルタ
７２    ＲＯＭ
３４、７４    ＰＤ
７５    ＲＡＭ
８０    信号検出部
８１    比較部
８２    アラーム生成部
９０    監視制御装置
９１    外部制御端末
Ｎ１〜ＮＮ    トランスミッター
Ａ１、Ａ２、Ｂ１、Ｂ２、Ｃ１、Ｃ２    トランスミッター、又は、光信号
【図１】
2016047089.tif 000003
【図２】
2016047089.tif 000004
【図３】
2016047089.tif 000005
【図４】
2016047089.tif 000006
【図５】
2016047089.tif 000007
【図６】
2016047089.tif 000008
【図７】
2016047089.tif 000009
【国際調査報告】
2016047089.tif 000010
2016047089.tif 000011